(57)【特許請求の範囲】
【請求項１】
先端にフックを有するフック部を内面から突出して備えるとともに一面が開口した第１筐体部と、前記フックと係合する係合溝を有するとともに一面が開口した第２筐体部と、を備え、前記フックが前記係合溝と係合することにより、前記第１筐体部及び前記第２筐体部の開口した一面が閉塞されて内部に閉空間が形成される筐体であって、
前記フック部は、解除部材を前記第１筐体部の外面から挿入可能に形成された凹部を有し、
前記凹部は、前記フックが前記係合溝に係合した状態において、前記係合溝の深さ方向に対して略垂直に、前記第１筐体部の外面から前記フック部の内部に亘って設けられ、
前記フックと前記係合溝との係合状態は、前記凹部に挿入された前記解除部材により前記フック部を撓ませることによって解除されることを特徴とする筐体。
【請求項２】
請求項１に記載の筐体であって、
前記フック部は、前記フックが前記係合溝に係合した状態において、前記係合溝の深さ方向に対して略垂直に配置され、
前記フックと前記係合溝との係合状態は、略棒状に形成された前記解除部材を前記凹部に挿入して当該解除部材における当該凹部に挿入された側の先端を前記係合溝の深さ方向とは反対の方向に傾けることにより前記フック部を撓ませることによって解除され、
前記第１筐体部は、前記フックが前記係合溝に係合した状態において、前記凹部の開口端部における前記係合溝の深さ方向側の位置に切欠部を有することを特徴とする筐体。
【請求項３】
請求項１に記載の筐体であって、
前記フック部は、前記フックが前記係合溝に係合した状態において、前記係合溝の深さ方向に対して略垂直に配置され、
前記フックと前記係合溝との係合状態は、略弓形状に形成された前記解除部材を前記凹部に挿入することにより前記フック部を撓ませることによって解除されることを特徴とする筐体。
【請求項４】
請求項１〜３の何れか一項に記載の筐体を備えることを特徴とする電子機器。
【請求項５】
請求項２に記載の筐体を前記第１筐体部と前記第２筐体部とに分解する筐体の分解方法であって、
前記解除部材は、少なくとも前記凹部に挿入された場合に当該凹部の開口端部と対向する部分が、所定の弾性部材で覆われており、
前記解除部材を、前記凹部に挿入する挿入ステップと、
次いで、前記解除部材における当該凹部に挿入された側の先端を前記係合溝の深さ方向とは反対の方向に傾けることにより前記フック部を撓ませることによって、前記フックと前記係合溝との係合状態を解除する解除ステップと、
次いで、前記フックと前記係合溝との係合状態を解除した状態で、前記第１筐体部と前記第２筐体部とを引き離すことによって、前記筐体を前記第１筐体部と前記第２筐体部とに分解する分解ステップと、
を備えることを特徴とする筐体の分解方法。
【請求項６】
請求項３に記載の筐体を前記第１筐体部と前記第２筐体部とに分解する筐体の分解方法であって、
前記解除部材を、前記凹部に挿入することにより前記フック部を撓ませることによって、前記フックと前記係合溝との係合状態を解除する挿入解除ステップと、
次いで、前記フックと前記係合溝との係合状態を解除した状態で、前記第１筐体部と前記第２筐体部とを引き離すことによって、前記筐体を前記第１筐体部と前記第２筐体部とに分解する分解ステップと、
を備えることを特徴とする筐体の分解方法。
【発明の詳細な説明】
【技術分野】
【０００１】
本発明は、筐体、電子機器及び筐体の分解方法に関する。
【背景技術】
【０００２】
従来、電子機器などに適用される筐体においては、筐体部同士を分解可能に係合するために、一方の筐体部にフックが設けられ、他方の筐体部にフックと係合する係合部が設けられている。
【０００３】
具体的には、例えば、電子機器などに適用される筐体において、係止爪（フック）が設けられた第１筐体部と、係止突起（係合部）、可動片及び工具挿入穴が設けられた第２筐体部と、を備え、工具挿入穴に挿入された工具により可動片を撓ませることによって、係止爪と係止突起との係合状態を解除できるものが提案されている（例えば、特許文献１参照）。
【０００４】
また、例えば、電子機器において、電子機器の本体ハウジングに取り付けられるカバー体と、カバー体に設けられたラッチ爪（フック）と、本体ハウジングを貫通して設けられた係合孔（係合部）と、を備え、係合孔に挿通された工具によりラッチ爪を押圧することによって、ラッチ爪と係合孔との係合状態を解除できるものも提案されている（例えば、特許文献２参照）。
【０００５】
また、例えば、電子機器などに適用される筐体において、係合孔（係合部）及び撓みガイド部が設けられた第１の部材と、フック部（フック）及び押し込み孔が設けられた第２の部材と、を備え、押し込み孔は撓みガイド部と対向する部分に設けられており、押し込み孔に挿通された押し込み部材を押し込むことにより撓みガイド部を撓ませることによって、係合孔とフック部との係合状態を解除できるものも提案されている（例えば、特許文献３参照）。
【０００６】
また、例えば、リモコンケースにおいて、フック部（フック）が設けられた第１ケース部と、係合部及び穴部が設けられた第２ケース部と、を備え、穴部に挿入された解除棒でフック部を押圧することによりフック部を撓ませることによって、フック部と係合部との係合状態を解除できるものも提案されている（例えば、特許文献４参照）。
【０００７】
また、例えば、上ケースと下ケースとを蓋合わせ状に結合して構成された記録メディアカートリッジの本体ケースにおいて、コの字状に形成された係止部材と、係止部材の両端部の内側面に設けられた突起（フック）と、上ケース及び下ケースに設けられた凹部（係止部）と、を備え、係止部材の上端の端部には係止解除用の溝が設けられており、係止解除用の溝にドライバーのような治具を引っ掛けて外側に付勢することによって、突起と凹部との係合状態を解除できるものも提案されている（例えば、特許文献５参照）。
【特許文献１】特開２００５−４４９１９号公報
【特許文献２】特開２００５−１０８９９０号公報
【特許文献３】特開２００４−２２１１２１号公報
【特許文献４】特開２００７−５７０１号公報
【特許文献５】特開２００２−３５８７４８号公報
【発明の開示】
【発明が解決しようとする課題】
【０００８】
しかしながら、特許文献１記載の発明では、工具の先端で筐体内部の基盤を傷付けてしまわないように工具挿入穴を第２筐体部の内側で袋状に閉塞しているが、可動片を可動なものとするために可動片と隣接する部分に切り欠きが形成されているため、電子機器内部の密閉度が確保できないという問題がある。
【０００９】
また、特許文献２及び３記載の発明では、電子機器内部の密閉度を確保できる構成であるが、工具でラッチ爪を押圧したり押し込み部材で撓みガイド部を押し込んだりして係合状態を解除するため、ラッチ爪や撓みガイド部の外面が傷付いてしまうという問題がある。
【００１０】
また、特許文献４記載の発明では、第２ケース部に穴部が設けられているため、リモコン（電子機器）内部の密閉度が確保できないという問題がある。
【００１１】
また、特許文献５記載の発明では、上ケースと下ケースとを係合するために係止部材が別途必要であるため、部品点数が増えるという問題がある。さらに、特許文献５記載の発明では、係止解除用の溝に治具を引っ掛けて係合状態を解除するため、係止部材の外面が傷付いてしまうという問題もある。
【００１２】
本発明の課題は、部品点数を増加させることなく、内部の密閉度を確保することができるとともに、分解時に外観の傷付きを軽減することができる筐体、当該筐体を備える電子機器及び当該筐体の分解方法を提供することにある。
【課題を解決するための手段】
【００１３】
上記課題を解決するために、請求項１に記載の発明は、
先端にフックを有するフック部を内面から突出して備えるとともに一面が開口した第１筐体部と、前記フックと係合する係合溝を有するとともに一面が開口した第２筐体部と、を備え、前記フックが前記係合溝と係合することにより、前記第１筐体部及び前記第２筐体部の開口した一面が閉塞されて内部に閉空間が形成される筐体であって、
前記フック部は、解除部材を前記第１筐体部の外面から挿入可能に形成された凹部を有し、
前記凹部は、前記フックが前記係合溝に係合した状態において、前記係合溝の深さ方向に対して略垂直に、前記第１筐体部の外面から前記フック部の内部に亘って設けられ、
前記フックと前記係合溝との係合状態は、前記凹部に挿入された前記解除部材により前記フック部を撓ませることによって解除されることを特徴とする。
【００１４】
請求項２に記載の発明は、
請求項１に記載の筐体であって、
前記フック部は、前記フックが前記係合溝に係合した状態において、前記係合溝の深さ方向に対して略垂直に配置され、
前記フックと前記係合溝との係合状態は、略棒状に形成された前記解除部材を前記凹部に挿入して当該解除部材における当該凹部に挿入された側の先端を前記係合溝の深さ方向とは反対の方向に傾けることにより前記フック部を撓ませることによって解除され、
前記第１筐体部は、前記フックが前記係合溝に係合した状態において、前記凹部の開口端部における前記係合溝の深さ方向側の位置に切欠部を有することを特徴とする。
【００１５】
請求項３に記載の発明は、
請求項１に記載の筐体であって、
前記フック部は、前記フックが前記係合溝に係合した状態において、前記係合溝の深さ方向に対して略垂直に配置され、
前記フックと前記係合溝との係合状態は、略弓形状に形成された前記解除部材を前記凹部に挿入することにより前記フック部を撓ませることによって解除されることを特徴とする。
【００１６】
請求項４に記載の発明は、
電子機器であって、
請求項１〜３の何れか一項に記載の筐体を備えることを特徴とする。
【００１７】
請求項５に記載の発明は、
請求項２に記載の筐体を前記第１筐体部と前記第２筐体部とに分解する筐体の分解方法であって、
前記解除部材は、少なくとも前記凹部に挿入された場合に当該凹部の開口端部と対向する部分が、所定の弾性部材で覆われており、
前記解除部材を、前記凹部に挿入する挿入ステップと、
次いで、前記解除部材における当該凹部に挿入された側の先端を前記係合溝の深さ方向とは反対の方向に傾けることにより前記フック部を撓ませることによって、前記フックと前記係合溝との係合状態を解除する解除ステップと、
次いで、前記フックと前記係合溝との係合状態を解除した状態で、前記第１筐体部と前記第２筐体部とを引き離すことによって、前記筐体を前記第１筐体部と前記第２筐体部とに分解する分解ステップと、
を備えることを特徴とする。
【００１８】
請求項６に記載の発明は、
請求項３に記載の筐体を前記第１筐体部と前記第２筐体部とに分解する筐体の分解方法であって、
前記解除部材を、前記凹部に挿入することにより前記フック部を撓ませることによって、前記フックと前記係合溝との係合状態を解除する挿入解除ステップと、
次いで、前記フックと前記係合溝との係合状態を解除した状態で、前記第１筐体部と前記第２筐体部とを引き離すことによって、前記筐体を前記第１筐体部と前記第２筐体部とに分解する分解ステップと、
を備えることを特徴とする。
【発明の効果】
【００１９】
本発明によれば、筐体は、先端にフックを有するフック部を内面から突出して備えるとともに一面が開口した第１筐体部と、フックと係合する係合溝を内面に有するとともに一面が開口した第２筐体部と、を備え、フックが係合溝と係合することにより、第１筐体部及び第２筐体部の開口した一面が閉塞されて内部に閉空間が形成され、フック部は、解除部材を第１筐体部の外面から挿入可能に形成された凹部を有し、凹部は、フックが係合溝に係合した状態において、係合溝の深さ方向に対して略垂直に、第１筐体部の外面からフック部の内部に亘って設けられ、フックと係合溝との係合状態は、凹部に挿入された解除部材によりフック部を撓ませることによって解除されるようになっている。
【００２０】
すなわち、部品点数を増加させることなく、フック部に凹部を設けるだけの簡単な構成で、フックと係合溝との係合状態を解除することができる。
そして、フック部に設けられたのは凹部であり、貫通穴等ではないため、内部の密閉度を確保することができる。
また、筐体を分解する際に傷付く部分は、主に凹部に挿入された解除部材と接触する部分であり、筐体の外側からは視認し難い部分であるため、分解時における外観の傷付きを軽減することができる。
さらに、凹部に挿入された解除部材によりフック部を撓ませるだけの簡単な方法で、フックと係合溝との係合状態を解除して、筐体を第１筐体部と第２筐体部とに分解することができる。
【発明を実施するための最良の形態】
【００２１】
以下、図を参照して、本発明を実施するための最良の形態を詳細に説明する。なお、発明の範囲は、図示例に限定されない。
【００２２】
［第１の実施の形態］
まず、第１の実施の形態の筐体１、筐体１を備える電子機器１０００及び筐体１を第１筐体部１１と第２筐体部１２とに分解する筐体の分解方法について説明する。
【００２３】
ここで、図１は、電子機器１０００の一例であるポータブルテレビの正面斜視図であり、図２は、筐体１を第１筐体部１１と第２筐体部１２とに分解した状態を示す背面斜視図であり、図３〜図７は、筐体１の要部断面図である。
図２においては、筐体１における、第１筐体部１１が配置された側を下側、第２筐体部１２が配置された側を上側とする。また、図３〜図７においては、筐体１における、第１筐体部１１が配置された側を下側、第２筐体部１２が配置された側を上側とし、係合溝１２１の深さ方向を左方向、係合溝１２１の深さ方向とは反対の方向を右方向とする。
【００２４】
＜電子機器＞
電子機器１０００は、例えば、図１に示すように、第１筐体部１１と第２筐体部１２とが組み合わせてなる筐体１を備えている。
具体的には、電子機器１０００は、例えば、図１に示すようなポータブルテレビである。
【００２５】
なお、電子機器１０００は、ポータブルテレビに限ることはなく、電子機器であれば任意である。好ましい電子機器１０００としては、ポータブルテレビのように屋外で使用される可能性が高い電子機器などの、筐体１の内部の密閉度を確保する必要がある電子機器が挙げられる。具体的には、ポータブルテレビの他に、例えば、デジタルカメラ、デジタルビデオカメラ、ポータブルオーディオプレーヤなどが挙げられる。
【００２６】
＜筐体＞
筐体（筐体）１は、例えば、図１〜図３に示すように、外形が略直方体形状をなしており、例えば、図２及び図３に示すように、上下方向略中央の位置で分割される第１筐体部１１と第２筐体部１２とが組み合わせてなる。
【００２７】
具体的には、筐体１は、先端にフック１１１ａを有するフック部１１１を備えるとともに一面が開口した第１筐体部１１と、フック１１１ａと係合する係合溝１２１を側面に有するとともに一面が開口した第２筐体部１２と、を備えている。
筐体１においては、第１筐体部１１の開口した一面と第２筐体部１２の開口した一面とを重ね合わせて、フック１１１ａを係合溝１２１に係合させることにより、第１筐体部１１及び第２筐体部１２の開口した一面が閉塞されて内部に閉空間が形成されるようになっている。
そして、筐体１において、フック１１１ａと係合溝１２１との係合状態は、略棒状に形成された解除部材１３によりフック部１１１を撓ませることによって解除されるようになっている。
【００２８】
第１筐体部１１は、例えば、樹脂等により形成されている。第１筐体部１１は、例えば、一面（例えば、上面）が開口しており、その開口した一面に対向する面（例えば、下面）の内面からは、例えば、開口した一面側（例えば、上側）に向かってフック部１１１が突出している。すなわち、フック部１１１は、例えば、フック１１１ａが係合溝１２１に係合した状態において、係合溝１２１の深さ方向に対して略垂直に配置されている。
【００２９】
フック部１１１は、そのフック部１１１のフック１１１ａが対応する係合溝１２１に係合可能となる位置に設けられている。具体的には、例えば、フック部１１１は、係合溝１２１が第２筐体部１２の側面（図３においては左側面）に設けられているため、第１筐体部１１の側面（図３においては左側面）近傍に設けられている。
フック部１１１の左右方向断面の形状は任意であり、例えば、略矩形状になっている。
【００３０】
フック部１１１は、先端に、フック１１１ａが係合溝１２１に係合した状態において、対応する係合溝１２１の深さ方向に突出するフック１１１ａを有している。
フック部１１１の高さ（例えば、上下方向の長さ）は、そのフック部１１１のフック１１１ａが対応する係合溝１２１に係合可能となる高さに設定されている。具体的には、フック部１１１の高さは、係合溝１２１が第２筐体部１２の側面（図３においては左側面）に設けられているため、そのフック部１１１のフック１１１ａが第１筐体部１１の側面（図３においては左側面）の上端よりも上側に配置されるような高さに設定されている。
【００３１】
フック部１１１は、解除部材１３を第１筐体部１１の外面から挿入可能に形成された凹部１１２を有している。
凹部１１２は、フック１１１ａが係合溝１２１に係合した状態において、係合溝１２１の深さ方向に対して略垂直に、第１筐体部１１の外面からフック部１１１の内部に亘って設けられている。
なお、凹部１１２の左右方向断面の形状は任意であり、例えば、略円形状になっている。
【００３２】
第１筐体部１１における凹部１１２の開口端部には、例えば、フック１１１ａが係合溝１２１に係合した状態において、凹部１１２の開口端部における係合溝１２１の深さ方向側の位置に切欠部１１３が設けられている。
具体的には、切欠部１１３は、例えば、凹部１１２の開口端部における係合溝１２１の深さ方向側の位置（図３においては左側の位置）を、凹部１１２の開口側（図３においては下側）に向かって係合溝１２１の深さ方向の向き（図３においては左向き）に傾斜して切り欠くことによって形成されている。
ここで、切欠部１１３は、フック部１１１ａと係合溝１２１との係合状態を解除するためにフック部１１１を撓ませる際、凹部１１２の開口端部に邪魔されることなく、解除部材１３を十分に傾けることができるようにするために設けられている。
【００３３】
第２筐体部１２は、例えば、樹脂等により形成されている。第２筐体部１２は、例えば、一面（例えば、下面）が開口しており、そして、その開口した一面に対して略垂直な面（側面）の内面に、例えば、その内面を凹状に陥没させることによって形成した係合溝１２１を有している。
【００３４】
＜解除部材＞
解除部材１３は、例えば、図３に示すように、略棒状に形成された、フック１１１ａと係合溝１２１との係合状態を解除する際に使用される部材である。解除部材１３は、略棒状に形成され、かつ、フック部１１１よりも撓み難いのであれば、例えば、ドライバーなどの市販の工具であっても良いし、筐体１を第１筐体部１１と第２筐体部１２とに分解するための専用の部材であっても良い。好ましい解除部材１３としては、例えば、図３に示すように、少なくとも凹部１１２に挿入された場合に凹部１１２の開口端部と対向する部分が、所定の弾性部材１３ａで覆われているものが挙げられる。ここで、所定の弾性部材１３ａは、ゴムなどのクッション性を有するものであれば任意である。
【００３５】
＜筐体の分解方法＞
筐体１を第１筐体部１１と第２筐体部１２とに分解する筐体の分解方法について、図３〜図７を参照して説明する。
【００３６】
ここで、図３は、フックと係合溝とが係合した状態において、凹部１１２に解除部材１３を挿入する前を示す図であり、図４は、フックと係合溝とが係合した状態において、凹部１１２に解除部材１３を挿入した後を示す図であり、図５は、フック１１１ａと係合溝１２１との係合状態を解除した状態を示す図であり、図６は、フック１１１ａと係合溝１２１との係合状態を解除した状態において、第１筐体部１１と第２筐体部１２とを引き離している途中を示す図であり、図７は、筐体１を第１筐体部１１と第２筐体部１２とに分解した状態を示す図である。
【００３７】
まず、図３及び図４に示すように、フック１１１ａと係合溝１２１とが係合した状態において、略棒状に形成された解除部材１３を、凹部１１２に挿入する（挿入ステップ）。
【００３８】
次いで、図４及び図５に示すように、解除部材１３における凹部１１２の挿入された側とは反対側の先端を、係合溝１２１の深さ方向（図４においては左方向）に移動させて、解除部材１３における凹部１１２に挿入された側の先端を係合溝１２１の深さ方向とは反対の方向（図４においては右方向）に傾ける。これにより、フック部１１１を撓ませて、フック１１１ａと係合溝１２１との係合状態を解除する（解除ステップ）。
【００３９】
次いで、図５〜図７に示すように、フック１１１ａと係合溝１２１との係合状態を解除した状態で、第１筐体部１１と第２筐体部１２とを引き離すことによって、筐体１を第１筐体部１１と第２筐体部１２とに分解する（分解ステップ）。
【００４０】
以上説明した第１の実施の形態における筐体１及び筐体１を有する電子機器１０００によれば、筐体１は、先端にフック１１１ａを有するフック部１１１を内面から突出して備えるとともに一面が開口した第１筐体部１１と、フック１１１ａと係合する係合溝１２１を有するとともに一面が開口した第２筐体部１２と、を備え、フック１１１ａが係合溝１２１と係合することにより、第１筐体部１１及び第２筐体部１２の開口した一面が閉塞されて内部に閉空間が形成され、フック部１１１は、解除部材１３を第１筐体部１２の外面から挿入可能に形成された凹部１１２を有し、フック１１１ａと係合溝１２１との係合状態は、凹部１１２に挿入された解除部材１３によりフック部１１１を撓ませることによって解除されるようなっている。
【００４１】
具体的には、フック部１１１は、フック１１１ａが係合溝１２１に係合した状態において、係合溝１２１の深さ方向に対して略垂直に配置され、凹部１１２は、フック１１１ａが係合溝１２１に係合した状態において、係合溝１２１の深さ方向に対して略垂直に、第１筐体部１１の外面からフック部１１１の内部に亘って設けられ、フック１１１ａと係合溝１２１との係合状態は、略棒状に形成された解除部材１３を凹部１１２に挿入して解除部材１３における凹部１３に挿入された側の先端を係合溝１２１の深さ方向とは反対の方向に傾けることによりフック部１１１を撓ませることによって解除され、第１筐体部１１は、フック１１１ａが係合溝１２１に係合した状態において、凹部１１２の開口端部における係合溝１２１の深さ方向側の位置に切欠部１１３を有している。
【００４２】
すなわち、部品点数を増加させることなく、フック部１１１に凹部１１２を設けるだけの簡単な構成で、フック１１１ａと係合溝１２１との係合状態を解除することができる。
そして、フック部１１１に設けられたのは凹部１１２であり、貫通穴等ではないため、筐体１の内部の密閉度を確保することができる。
また、電子機器１０００の修理等のために筐体１を分解する際、傷付く部分は、主に凹部１１２に挿入された解除部材１３と接触する部分であり、筐体１３の外側からは視認し難い部分であるため、分解時における外観の傷付きを軽減することができる。
【００４３】
さらに、従来の筐体においてはフック止めの位置が外観から判別できず、フック止めを解除することが困難である場合があったが、外観から容易に判別することができる凹部１１２に解除部材１３を挿入して傾けるだけで、フック止めを解除することができるため、容易に筐体１を分解することができる。
【００４４】
また、フック１１１ａと係合溝１２１とが係合することによって、第２筐体部１２における係合溝１２１が設けられた側面（左側面）に下向きの力がかかり、第２筐体部１２の側面（左側面）の下端と第１筐体部１１の側面（左側面）の上端とが隙間なく確実に接触するよう、フック１１１ａと第１筐体部１１の開口した一面に対向する面（下面）とで、第２筐体部１２の側面（左側面）における係合溝１２１よりも下側の部分及び第１筐体部１１の側面（左側面）とを挟むことができるため、筐体１の内部をより確実に密閉することができる。
【００４５】
また、以上説明した第１の実施の形態における筐体１及び筐体１を有する電子機器１０００によれば、好ましい解除部材１３として、少なくとも凹部１１２に挿入された場合に凹部１１２の開口端部と対向する部分が、所定の弾性部材１３ａで覆われているものが挙げられている。
【００４６】
したがって、解除部材１３における凹部１１２の開口端部と対向する部分は、フック１１１ａと係合溝１２１との係合状態を解除する際、凹部１１２の開口端部と当接することになるが、所定の弾性部材１３ａで覆われているため、当該当接に伴う凹部１１２の開口端部の傷付きを軽減することができることとなって、分解時における外観の傷付きをより軽減することができる。
【００４７】
以上説明した第１の実施の形態における筐体１を第１筐体部１１と第２筐体部１２とに分解する筐体の分解方法によれば、略棒状に形成された解除部材１３を、凹部１１２に挿入する挿入ステップと、次いで、解除部材１３における凹部１１２に挿入された側の先端を係合溝１２１の深さ方向とは反対の方向に傾けることによりフック部１１１を撓ませることによって、フック１１１ａと係合溝１２１との係合状態を解除する解除ステップと、次いで、フック１１１ａと係合溝１２１との係合状態を解除した状態で、第１筐体部１１と第２筐体部１２とを引き離すことによって、筐体１を第１筐体部１１と第２筐体部１２とに分解する分解ステップと、を備えている。
【００４８】
すなわち、凹部１１２に挿入された解除部材１３によりフック部１１１を撓ませるだけの簡単な方法で、フック１１１ａと係合溝と１２１の係合状態を解除して、筐体１を第１筐体部１１と第２筐体部１２とに分解することができる。
【００４９】
［第２の実施の形態］
次に、第２の実施の形態の筐体２、筐体２を備える電子機器２０００及び筐体２を第１筐体部２１と第２筐体部１２とに分解する筐体の分解方法について説明する。
【００５０】
なお、第２の実施の形態の筐体２及び電子機器２０００は、第１筐体部２１が切欠部１１３を有していない点及び解除部材２３が弓形状に形成されている点のみが、第１の実施の形態と異なる。また、第２の実施の形態の分解方法は、フック１１１ａと係合溝１２１との係合状態を解除する際、凹部１１２に挿入した解除部材２３を傾けない点のみが、第１の実施の形態と異なる。したがって、異なる箇所のみについて説明し、その他の共通する部分は同一符号を付して説明する。
【００５１】
ここで、図８は、電子機器２０００の一例であるポータブルテレビの正面斜視図であり、図９は、筐体２を第１筐体部２１と第２筐体部１２とに分解した状態を示す背面斜視図であり、図１０〜図１３は、筐体２の要部断面図である。
【００５２】
＜電子機器＞
電子機器２０００は、例えば、図８に示すように、第１筐体部２１と第２筐体部１２とが組み合わせてなる筐体２を備えている。
【００５３】
＜筐体＞
筐体２は、例えば、図８〜図１０に示すように、第１筐体部２１と第２筐体部１２とが組み合わせてなる。
なお、筐体２において、第１の実施の形態の筐体１と異なる点は、第１筐体部２１が切欠部１１３を有していない点のみであるため、詳細な説明は省略する。
【００５４】
＜解除部材＞
解除部材２３は、例えば、図１０に示すように、略弓形状に形成された、フック１１１ａと係合溝１２１との係合状態を解除する際に使用される部材である。解除部材２３は、略弓形状に形成され、かつ、フック部１１１よりも撓み難いのであれば、例えば、市販の工具であっても良いし、筐体２を第１筐体部２１と第２筐体部１２とに分解するための専用の部材であっても良い。
ここで、解除部材２３の曲がり具合は、解除部材２３を凹部１１２に挿入しただけで、フック部１１１を撓ませてフック１１１ａと係合溝１２１との係合状態を解除することができるのであれば、任意である。
なお、解除部材２３は、所定の弾性部材１３で覆われていなくても良いし、覆われていても良い。
【００５５】
＜筐体の分解方法＞
筐体２を第１筐体部２１と第２筐体部１２とに分解する筐体の分解方法について、図１０〜図１３を参照して説明する。
【００５６】
ここで、図１０は、フック１１１ａと係合溝１２１とが係合した状態において、凹部１１２に解除部材２３を挿入する前を示す図であり、図１１は、フック１１１ａと係合溝１２１との係合状態を解除した状態を示す図であり、図１２は、フック１１１ａと係合溝１２１との係合状態を解除した状態において、第１筐体部２１と第２筐体部１２とを引き離している途中を示す図であり、図１３は、筐体２を第１筐体部２１と第２筐体部１２とに分解した状態を示す図である。
【００５７】
まず、図１０及び図１１に示すように、フック１１１ａと係合溝１２１とが係合した状態において、略弓形状に形成された解除部材２３を、凹部１１２に挿入する。これにより、フック部１１１を撓ませて、フック１１１ａと係合溝１２１との係合状態を解除する（挿入解除ステップ）。
【００５８】
次いで、図１１〜図１３に示すように、フック１１１ａと係合溝１２１との係合状態を解除した状態で、第１筐体部２１と第２筐体部１２とを引き離すことによって、筐体２を第１筐体部２１と第２筐体部１２とに分解する（分解ステップ）。
【００５９】
以上説明した第２の実施の形態における筐体２、筐体２を有する電子機器２０００、筐体２を第１筐体部２１と第２筐体部１２とに分解する筐体の分解方法によれば、解除部材２３が、略弓形状に形成されているため、解除部材２３を凹部１１２に挿入するだけで、フック部１１１を撓ませて、フック１１１ａと係合溝１２１との係合状態を解除することができる。
また、解除部材２３を凹部１１２に挿入するだけで、フック１１１ａと係合溝１２１との係合状態を解除することができるため、第１筐体部２１に切欠部１１３を設ける必要がない。
【００６０】
なお、本発明は、上記した実施の形態のものに限るものではなく、その要旨を逸脱しない範囲で適宜変更可能である。
【００６１】
（変形例１）
第１の実施の形態において、係合溝１２１を第２筐体部１２の側面に設け、フック部１１１を第１筐体部１１の側面近傍に設けるようにしたが、これに限ることはない。
具体的には、筐体１は、例えば、図１４に示すように、第１筐体部１１Ａと第２筐体部１２Ａとが組み合わせてなる筐体１Ａであっても良い。
【００６２】
具体的には、筐体１Ａは、先端にフック１１１ａを有するフック部１１１を内面から突出して備えるとともに一面が開口した第１筐体部１１Ａと、フック１１１ａと係合する係合溝１２１を有する係合溝部１２２Ａを内面から突出して備えるとともに一面が開口した第２筐体部１２Ａと、を備えている。
係合溝部１２２Ａは、例えば、第２筐体部１２Ａの側面と当該側面に対向する他の側面との間の位置に配置されている。
フック部１１１は、例えば、筐体１Ａの内部に閉空間が形成された状態において、フック１１１ａが係合溝１２１に係合することができる位置に配置されている。
第２の実施の形態においても同様である。
【００６３】
また、第１の実施の形態において、筐体１を備えるのは、電子機器１０００に限ることはなく、任意である。
第２の実施の形態及び変形例においても同様である。
【００６４】
また、第１の実施の形態において、筐体１は、少なくとも第１筐体部１１と第２筐体部１２を備えているのであれば、他の筐体部を備えていても良い。
第２の実施の形態及び変形例においても同様である。
【図面の簡単な説明】
【００６５】
【図１】第１の実施の形態の電子機器の一例であるポータブルテレビの正面斜視図である。
【図２】第１の実施の形態の筐体を第１筐体部と第２筐体部とに分解した状態を示す背面斜視図である。
【図３】フックと係合溝とが係合した状態における第１の実施の形態の筐体の要部断面図であって、凹部に解除部材を挿入する前を示す図である。
【図４】フックと係合溝とが係合した状態における第１の実施の形態の筐体の要部断面図であって、凹部に解除部材を挿入した後を示す図である。
【図５】第１の実施の形態の筐体の要部断面図であって、フックと係合溝との係合状態を解除した状態を示す図である。
【図６】第１の実施の形態の筐体の要部断面図であって、フックと係合溝との係合状態を解除した状態において、第１筐体部と第２筐体部とを引き離している途中を示す図である。
【図７】第１の実施の形態の筐体の要部断面図であって、筐体を第１筐体部と第２筐体部とに分解した状態を示す図である。
【図８】第２の実施の形態の電子機器の一例であるポータブルテレビの正面斜視図である。
【図９】第２の実施の形態の筐体を第１筐体部と第２筐体部とに分解した状態を示す背面斜視図である。
【図１０】フックと係合溝とが係合した状態における第２の実施の形態の筐体の要部断面図であって、凹部に解除部材を挿入する前を示す図である。
【図１１】第２の実施の形態の筐体の要部断面図であって、フックと係合溝との係合状態を解除した状態を示す図である。
【図１２】第２の実施の形態の筐体の要部断面図であって、フックと係合溝との係合状態を解除した状態において、第１筐体部と第２筐体部とを引き離している途中を示す図である。
【図１３】第２の実施の形態の筐体の要部断面図であって、筐体を第１筐体部と第２筐体部とに分解した状態を示す図である。
【図１４】フックと係合溝とが係合した状態における第１の実施の形態の変形例の筐体の要部断面図であって、凹部に解除部材を挿入する前を示す図である。
【符号の説明】
【００６６】
１，１Ａ，２  筐体
１１，１１Ａ，２１  第１筐体部
１２，１２Ａ  第２筐体部
１３，２３  解除部材
１１１  フック部
１１１ａ  フック
１１２  凹部
１１３  切欠部
１２１  係合溝
【図１】
0004924446.tif 000002
【図２】
0004924446.tif 000003
【図３】
0004924446.tif 000004
【図４】
0004924446.tif 000005
【図５】
0004924446.tif 000006
【図６】
0004924446.tif 000007
【図７】
0004924446.tif 000008
【図８】
0004924446.tif 000009
【図９】
0004924446.tif 000010
【図１０】
0004924446.tif 000011
【図１１】
0004924446.tif 000012
【図１２】
0004924446.tif 000013
【図１３】
0004924446.tif 000014
【図１４】
0004924446.tif 000015